(57)【要約】【課題】  従来の陳列棚に商品を陳列する一般的なフックは、商品毎に一つ一つ目視確認しなければ、商品の欠品回避ができない。本発明は、陳列棚から離れた位置でも陳列した商品の欠品や欠品寸前を察知でき、欠品による売上減を大幅に減少でき、かつ、客に特売商品や推奨商品のあり場所をランプ等の光で知らせることができる物品存否表示具を提案するものである。【解決手段】  物品陳列棚に取付ける取付け部材を有する物品係止体１を備えた物品係止表示具であって、光源２と、物品係止体に係止された物品の有無或は減少を検知する検出器１２と、この光源及び検出器に接続された信号線６ａ，６ｂと、を有し、この信号線を、物品係止体近傍に取付けた電源４や別途設けた電源に直接或はコンセント５或は外部から物品陳列棚近傍に配線された電源に接続或は着脱可能に接続されることを特徴とする。【選択図】  図１
2006217954.tif 000002
【特許請求の範囲】
【請求項１】
物品陳列棚の物品係止表示具受けに着脱自在に取付ける取付け部材を有する物品係止体を備えた物品係止表示具であって、
この物品係止体に取付けられた光源と、
この物品係止体に取付けられ、係止された物品の有無或は減少を検知する検出器と、
この光源及び検出器に接続された信号線と、
を有することを特徴とする物品係止表示具。
【請求項２】
前記物品係止体に取付けられ、前記信号線に接続され、光源を点滅させる回路基板を有することを特徴とする請求項１記載の物品係止表示具。
【請求項３】
前記光源が、光源を点滅させるための温度検出器付光源であることを特徴とする請求項１記載の物品係止表示具。
【請求項４】
前記請求項１ないし３のうち１項記載の物品係止表示具を有することを特徴とする物品陳列棚。
【発明の詳細な説明】
【技術分野】
【０００１】
本発明は、物品係止表示具及び物品陳列棚に関する。
【背景技術】
【０００２】
従来、例えば、特許文献１（特開２０００−０６０６９８、商品陳列用フック）、特許文献２（特開２００１−０２９９５１６、フック用商品前出し具）などがあった。前者は、商品吊り下げ専用と商品吊り下げ・商品表示併用との切換えが容易に行えるとともに、簡潔に製造することのできる商品陳列用フックである。後者は、商品の陳列スペースを狭めることなく、種々の商品陳列用フックに吊り下げられた商品を、簡単に前出し可能なフック用商品前出し具である。このように、陳列棚に様々な商品を効率的に陳列するための種々形状のフックがあった。又、陳列棚にも様々な出願があった。
【特許文献１】特開２０００−０６０６９８
【特許文献２】特開２００１−２９９５１６
【発明の開示】
【発明が解決しようとする課題】
【０００３】
しかしながら、従来の物品係止表示体は、単に作業効率の向上のみを目的としたものであり、欠品を知らせ、欠品や欠品寸前による売上減少を知らせることができず、このような情報を提供できる物品係止表示体を使った陳列棚もなかった。例え中小規模の店舗であっても売上減を来たす商品の欠品や欠品寸前状態は回避すべき課題であり、商品毎に一つ一つ目視確認する作業は非効率的でもある。せめて、陳列棚から離れた位置でも陳列した商品の欠品や欠品寸前を察知できれば、欠品や欠品寸前状態による売上減を大幅に減少できる。又、特売商品や推奨商品をランプ等の光で知らせることができれば、客の注目を集めて売上増進ともなる。本発明は、このような要望を満たすために開発した物品係止表示具及び物品陳列棚である。
【課題を解決するための手段】
【０００４】
本発明の物品係止表示具は、物品陳列棚の物品係止表示具受けに着脱自在に取付ける取付け部材を有する物品係止体を備えた物品係止表示具であって、この物品係止体に取付けられた光源と、この物品係止体に取付けられ、係止された物品の有無或は減少を検知する検出器と、この光源及び検出器に接続された信号線と、を有し、この信号線を、物品係止体近傍に取付けた電源に接続され、或は、別途設けた電源に直接或はコンセントを介して着脱可能に接続され、若しくは、外部から物品陳列棚近傍に配線された電源に接続されることを特徴とする。
【０００５】
前記物品係止体に、前記信号線に接続されて光源を点滅させる回路基板を取付けたり、光源を点滅させるための温度検出器付光源（例：バイメタル付発光ダイオード）としたりして、これらの物品係止表示具を物品陳列棚に取付けたりできる。尚、物品陳列棚には、網或は金網でできた物品陳列棚も含まれる。
【発明の効果】
【０００６】
本発明の請求項１の物品係止表示具は、物品陳列棚の物品係止表示具受けに着脱自在に取付ける取付け部材を有する物品係止体を備えた物品係止表示具で、物品係止体に取付けられた光源と、係止された物品の有無或は減少を検知する検出器と、光源及び検出器に接続された信号線を有するものである。以上の構成を有する物品係止表示具の信号線を物品係止体近傍に取付けた電源や別途設けた電源或は外部から物品陳列棚近傍に配線された電源に接続し、物品係止体に物品を係止すると、検出器が物品係止体に係止された物品の有無を検知して光源に伝え、物品係止体に係止した物品が少なくなったり、無くなると光源が点灯する。
【０００７】
請求項２の物品係止表示具は、信号線に接続された物品係止体に光源を点滅させる回路基板が取付けられているので、回路基板の設計に従って光源が点滅する。
請求項３の物品係止表示具は、前記光源を点滅させるための温度検出器付光源としたので、回路基板を使わなくとも光源を点滅できる。
【０００８】
請求項４の物品係止表示具は、上記構成の物品係止表示具を物品陳列棚に取付けたので、請求項１乃至３の夫々の効果を有する物品係止表示具を備えた陳列棚が得られた。
【発明を実施するための最良の形態】
【０００９】
[第１実施例]  以下、本発明の物品係止表示具の実施の形態を添付した図面を参照して説明する。図１の一部切欠断面図は、発明を実施する形態の一例であり、図２以下、前出の実施例と同一の符号を付した部分は同一物を表わし、基本的な構成は前出の図に示すものと同様である。物品係止体１は、金属製で断面形状が逆Ｕ型をしており、図では棒状に図示したが、棒状に拘らず物品を係止できる形状であれば如何なる形状であっても良い。又、棒状の物品係止体１の断面形状は、逆Ｕ型が望ましいが、中空円筒状や逆Ｌ型などの形状であっても良い）。物品係止体１の先端には、光源としての発光ダイオード２（従来型電球などでも良く、後述のバイメタル付発光ダイオードなど温度検出器付光源でも良い）が取付けられている。物品係止体１の基端には、陳列棚に物品係止表示具を取付ける物品係止表示具取付け部に（図示せず）に係止する取付け部材３が取付けられている。取付け部材３の近傍である裏側には、電源４又はコンセント５が取付けられている。図示しないが、電源４の近くにＯＮ・ＯＦＦ切換えスイッチを取付けることもできる。物品係止体１の内部（物品を物品係止体１に係止したとき邪魔にならない位置であれば良い）には、＋−１組の信号線６（６ａ，６ｂ、一般に被覆並行線が用いられる）が併設されている。この信号線６の先端は、発光ダイオード２(従来型の電球でも良い)に接続され、信号線６の基端は、電源４又はコンセント５に接続されている。
【００１０】
物品係止体１の央部から基端にかけて物品押し出し部材７が取付けられている（図では弾性体であるコイルスプリング７を巻着したが、物品係止体１に係止した物品を常時先端方向に押し出す構成であれば如何なる構成であっても良く、物品係止体１の先端を下方に傾斜させたものでもこの目的を達成することができる）。取付け部材３の後端に固着され、物品係止体１上に先端に向かって延設されたプライスカード８等を取付ける取付け部材９を設ける。この取付け部材９の形状も図示したものに拘るものではない。上記説明では、物品係止体１の基端に取付け部材３が固着状態で取付けられているが、物品係止体１の基端に取付け部材３を回動自在に取付け、物品係止体１と取付け部材３の間にバネやゴム等の弾性体を介在させたり、回動自在な物品係止体１の基部近傍と物品陳列棚を弱い弾性体で連結し、物品係止体１に係止された物品がなくなったり、少なくなって軽くなったりすると物品係止体１の先端が持ち上がる構造にすることもできる。
【００１１】
上記構成の物品係止表示具は、物品係止体１の先端に光源２が取付けられ、物品係止体１の基端に取付け部材３が取付けられ、取付け部材３の近傍に電源４又はコンセント５が取付けられ、物品係止体１に併設された通信線６の先端が光源２に接続され、基端が電源４又はコンセント５に接続されている。この物品係止表示具を陳列棚の物品係止表示具取付け部に係止する（例えば、ブリスター包装を施した物品を物品係止体１に係止する）と、光源２が点灯し、係止した物品を際立たせることになり、離れた位置から目視確認でき特売商品や推奨商品を係止すれば効果的である。尚、電源４の代わりにコンセント５を設けたときは、別途、用意した電源に複数の物品係止表示具のコンセント５を接続することにより、個別に電源４を用意するより大幅にコストを低減できる（詳細は実施例４のところで後述）。
【００１２】
[第２実施例]  図１の光源２を温度検出器付きとした場合の実施例を説明する。この実施例は、光源２としての発光ダイオードの代わりに光源２０としてバイメタル付発光ダイオードを使用する実施例である。この光源２０は、発光ダイオードとバイメタルを組合せたものである。この光源２０は、点灯により光源２０が発熱し光源２０の温度が所定温度に達するとバイメタルにより回路が切断されて光源２０が消灯され、光源２０が消灯されて光源２０の温度が所定温度に下がるとバイメタルにより回路が再度接続されて光源２０が点灯するもので自動的に点滅を繰り返す。バイメタルの設定次第で点滅サイクルも変えられる。あるいは、バイメタルの無い通常の発光ダイオードを用いた光源２を使用し、回路基板１６を設けて、この回路基板１６で光源２を点滅させる構成としてもよい。
【００１３】
温度検出器付光源としてのバイメタル付発光ダイオード２０を使用する構成の物品係止表示具は、電源４と接続するだけで光源２０が点滅し、存在自体が際立つ。又、このような構成とすることにより高価な回路基板１６なしで光源を点滅することができ、安価な物品係止表示具が得られた。
【００１４】
[第３実施例]  図２の要部拡大図付一部切欠断面図は、異なる構成の実施例であり、前記実施例と異なる点のみを説明する。物品係止体１の所定位置の長手方向に沿ってスリット１１を形成している。前記物品係止体１の内側に取付けられた通信線６（６ａ，６ｂ）の内の１本の通信線６ａは、前端１４ａと後端１４ｂに分割され、前端１４ａと後端１４ｂの間に検出器即ちセンサー１２が取付けられている。センサー１２の基端は、通信線１４ｂに接続され、通信線１４（１４ａ，１４ｂ）の一部となっている。このセンサー１２は、曲折したバネ鋼で造られ、スリット１１から物品係止体１の外部に出没可能である。
【００１５】
センサー１２の先端部は、２通りの構成があり、これらを図では左右の拡大図として示している。センサー１２の基端は固定部材１３により物品係止体１内に固定されている。クランク状に折れ曲った先端部は自由端であり且つスリット１１を通して出没自在である。右側の拡大図では、センサー１２の最先端１２ａは通信線１４の先端１４ａに接続された接点部材１５に接離する。接点部材１５と物品係止体１との間には図示しないが、絶縁体を設けている。一方、左側の拡大図では、通信線１４の先端１４ａは常時導電性の物品係止体１に接触しており、センサー１２の最先端１２ａは導電性の物品係止体１に接離可能となっている。センサー１２の先端部が物品係止体１の外側に突出しているとき、このセンサー１２の最先端１２ａは、物品係止体１の内側又は接点部材１５に接触している。この先端部が係止された物品の荷重でセンサー１２が押されると物品係止体１内に埋没し、物品係止体１の内側に接触しているセンサー１２の最先端１２ａが物品係止体１の内側又は接点部材１５から離れる。最先端１２ａが通信線１４の前端１４ａと接続していると、光源２と電源４が接続され、光源２は点灯或は点滅する。
【００１６】
取付け部材３の近傍即ち裏面に電源４と回路基板１６が取り付けられている。回路基板１６は通信線６ｂと１４ｂの基端に接続され、この回路基板１６と電源４が接続されている。尚、検出器即ちセンサー１２は、図示した検出器１２に拘る物ではなく、物品係止体１の所定位置に係止した物品がなくなったり、少なくなったことを検知できれば、光電センサー、近接センサー、位置センサー、圧力センサー、変位センサー等々如何なる検出器１２であっても良い。
【００１７】
尚、併設された＋−１組の信号線６（６ａ，６ｂ）の内１本の信号線６ａ又は６ｂを２本とし、更にこの信号線６ａ又は６ｂの何れかに検出器１２を取付け、信号線６ａ又は６ｂの分岐点にスイッチを取付けることもできる(図示せず)。
【００１８】
上記構成の物品係止表示具は、検出器１２を有し、検出器１２が検知した情報を通信線６，１４により電源４に接続された回路基板１６に伝えられ、回路基板１６により処理された情報が通信線６，１４により光源２に伝えられて光源２を点灯或は点滅させる。上記構成の光源２が点灯或は点滅する物品係止表示具は、第１実施例の効果に加え、物品係止表示具に係止された物品の減少や品切れを情報として利用でき、回路基板１６に数値情報を組込めば、この数値による数値管理もできる
【００１９】
[第４実施例]  図３の一部切欠断面図は、本発明の第４実施例で、前記実施例と異なる点のみを説明する。取付け部材３の近傍即ち裏面にコンセント５を取付け、電源４或は電源４及び回路基板１６を別途独立させて設け、この独立した電源４或は電源４及び回路基板１６を上記コンセント５に着脱自在としたことである。独立した電源４或は電源４及び回路基板１６には１或は複数の＋−１組の通信線１７が取付けられ前記物品係止表示具のコンセント５に取付けられる。更にこの電源は、図示しない物品陳列棚の近傍に配線し先端にコンセント５を取付けた通信線を電源とすることができる。
【００２０】
上記構成のコンセント５は、前述の実施例の効果に加え、１或は複数のコンセント５に接続でき、１つの電源４或は１つの回路基板１６により１或は複数の物品を同時管理でき、製造コスト及び設置・管理コストの削減となった。尚、光源２が光源２０であるときは、回路基板１６が無用である。
【００２１】
[第５実施例]  上述の各構成を備えた物品係止表示具を物品陳列棚の所定の位置即ち取付け部材としての物品係止表示体受けに着脱自在に取付ける（図、省略）。このような構成の物品陳列棚は、前記夫々の物品存否表示具の特徴を備え、物品陳列棚に取付けた物品係止表示具に物品の有無即ち存否を光源２，２０の点灯・点滅で自動的に表示できるから、目視による在庫確認ミスによる品切れを防止できると共に特売品、推奨販売品等を来店者に示し易くなる。
【００２２】
尚、本発明の物品係止表示具は、上記した実施の形態に限定されるものではなく、本発明の要旨を逸脱しない範囲内において種々変更を加えることができ、更に、必要に合せ構成を組替えることもできる
【産業上の利用可能性】
【００２３】
本発明の物品係止表示具は、物販業者の店舗特に低コスト管理が望まれる中小規模店舗の商品陳列棚の取付け部材に取付ける物品係止表示体として有効である。
【図面の簡単な説明】
【００２４】
【図１】本発明の物品係止表示具の光源が、常時点灯している実施例の一部切欠断面図である。
【図２】本発明の物品係止表示具に係止した物品の数が減ったり、なくなったときに光源が点滅する実施例の要部拡大図付一部切欠断面図である。
【図３】本発明の物品係止表示具の電源及び回路基板が、着脱自在に独立している実施例の一部切欠断面図である。
【符号の説明】
【００２５】
１        物品係止体
２        光源
３        取付け部材
４        電源
５        コンセント
６（６ａ，６ｂ）        ＋−１組の信号線
７        物品押し出し部材
８        プライスカード
９        取付け部材
１１        スリット
１２        検出器としてのセンサー
１２ａ      センサーの最先端
１３        固定部材
１４        通信線
１４ａ      通信線の前端
１４ｂ      通信線の後端
１５        接点部材
１６        回路基板
１７        通信線
２０        光源としてのバイメタル付発光ダイオード
【図１】
2006217954.tif 000003
【図２】
2006217954.tif 000004
【図３】
2006217954.tif 000005